(57)【特許請求の範囲】
【請求項１】
画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させ、前記搬送ベルトが前記ローラ部材の周面に接触することで前記搬送ベルトの空孔が縮められ、この搬送ベルトの前記空孔を縮ませた状態で前記用紙を搬送面に接触させて前記空孔の開口を塞ぐことで前記用紙を前記搬送面に吸着させて搬送することを特徴とする用紙搬送装置。
【請求項２】
請求項１に記載の用紙搬送装置において、前記搬送ベルトにテンションを付与する手段を備えていることを特徴とする用紙搬送装置。
【請求項３】
画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させると共に、前記搬送ベルトを支持するローラ部材と前記搬送ベルトを挟んで対向し、前記搬送ベルトを圧縮する圧縮用ローラ部材を備え、前記搬送ベルトの圧縮ローラとの接触部分付近から前記用紙の搬送面への接触を開始させることを特徴とする用紙搬送装置。
【請求項４】
画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させると共に、前記ローラ部材より小径で前記搬送ベルトの方向を変える小径ローラ部材を前記ローラ部材の近傍に配設し、前記搬送ベルトの小径ローラ部材で方向を変えられる部分から前記用紙の搬送面への接触を開始させることを特徴とする用紙搬送装置。
【請求項５】
請求項１ないし４のいずれかに記載の用紙搬送装置において、前記搬送ベルトは前記搬送面側が開口する多数の空孔を有する弾性部材を一部に用いていることを特徴とする用紙搬送装置。
【請求項６】
請求項１ないし５のいずれかに記載の用紙搬送装置において、前記搬送ベルトから前記用紙を剥離する位置で前記搬送ベルトの内側に接触して前記搬送ベルトの方向を変える部材を設けたことを特徴とする用紙搬送装置。
【請求項７】
搬送ベルトで搬送される用紙に記録ヘッドからインク滴を吐出して画像を形成記録するインクジェット記録装置において、前記請求項１ないし５のいずれかに記載の用紙搬送装置を備えたことを特徴とするインクジェット記録装置。
【発明の詳細な説明】
【０００１】
【発明の属する技術分野】
本発明は用紙搬送装置及びこの用紙搬送装置を用いたインクジェット記録装置に関し、特に用紙を搬送ベルトを用いて搬送する用紙搬送装置及びインクジェット記録装置に関する。
【０００２】
【従来の技術】
インクジェット記録装置は、記録時の振動、騒音が殆どなく、カラー化が容易なことから、コンピュータ等のデジタル処理装置のデータを出力するプリンタの他、ファクシミリやコピー等にも用いられるようになっている。このような記録装置は、例えば記録ヘッドをキャリッジに搭載して、記録ヘッドを主走査方向に移動させると共に、用紙を主走査方向と直交する副走査方向に移動させながら、記録ヘッドのノズル列から記録信号に応じてインク滴を記録媒体に吐出して、用紙上に画像を記録する。なお、本明細書において「用紙」とは、画像が形成される媒体を意味し、材質が紙に限られるものではなく、ＯＨＰシートなどを含むものである。
【０００３】
ところで、特に、インクジェット記録装置などのドット形成手段を用いてドットで画像を記録する記録装置においては、画質を向上する上で、用紙を高精度に搬送して正確な位置合せを行うことが必要になる。
【０００４】
従来の用紙搬送装置としては、所謂プラテンローラを用いたものが一般的であるが、この他、特公平８−９２５１号公報に記載されているように第１の送りローラと第２の送りローラとの間に記録ヘッドに対向する位置に吸引手段を配置して、この吸引手段で用紙を保持するようにしたもの、特開平７−３０４１６７号公報に記載されているように多孔質膜又は網目状シートで構成した搬送ベルトと、この搬送ベルトの内側に位置して真空吸引用の吸引溝を設けて、真空吸引溝から真空吸引することで搬送ベルト上に載置された用紙を真空吸引するようにした真空吸引搬送装置などが知られてる。
【０００５】
【発明が解決しようとする課題】
しかしながら、ゴム、金属ローラ等のプラテンローラによる用紙の搬送は、インク滴の吸収による紙の伸びなどの影響によって正確な位置合せが困難になる。また、搬送ベルトを用いて空気の吸引を行うことで用紙を搬送ベルトなどに真空吸着するものでは、吸引ポンプが必要になるなど、装置が大型化しコストも高くなる。
【０００６】
本発明は上記の点に鑑みてなされたものであり、簡単な構成で用紙を正確に搬送することができる用紙搬送装置及びこの用紙搬送装置を備えたインクジェット記録装置を提供することを目的とする。
【０００７】
【課題を解決するための手段】
上記の課題を解決するため、請求項１の用紙搬送装置は、画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させ、前記搬送ベルトが前記ローラ部材の周面に接触することで前記搬送ベルトの空孔が縮められ、この搬送ベルトの前記空孔を縮ませた状態で前記用紙を搬送面に接触させて前記空孔の開口を塞ぐことで前記用紙を前記搬送面に吸着させて搬送する構成とした。
【０００８】
請求項２の用紙搬送装置は、請求項１の用紙搬送装置において、前記搬送ベルトにテンションを付与する手段を備えている構成とした。
【０００９】
請求項３の用紙搬送装置は、画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させると共に、前記搬送ベルトを支持するローラ部材と前記搬送ベルトを挟んで対向し、前記搬送ベルトを圧縮する圧縮用ローラ部材を備え、前記搬送ベルトの圧縮ローラとの接触部分付近から前記用紙の搬送面への接触を開始させる構成とした。
【００１０】
請求項４の用紙搬送装置は、画像が記録される用紙を搬送ベルトで搬送する用紙搬送装置において、前記搬送ベルトは前記用紙を載置する搬送面側が開口する多数の空孔を有する弾性部材からなり、前記搬送ベルトを複数のローラ部材で支持して回動させると共に、前記ローラ部材より小径で前記搬送ベルトの方向を変える小径ローラ部材を前記ローラ部材の近傍に配設し、前記搬送ベルトの小径ローラ部材で方向を変えられる部分から前記用紙の搬送面への接触を開始させる構成とした。
【００１１】
請求項５の用紙搬送装置は、請求項１ないし４のいずれかの用紙搬送装置において、前記搬送ベルトは前記搬送面側が開口する多数の空孔を有する弾性部材を一部に用いている構成とした。
【００１２】
請求項６の用紙搬送装置は、請求項１ないし５のいずれかの用紙搬送装置において、前記搬送ベルトから前記用紙を剥離する位置で前記搬送ベルトの内側に接触して前記搬送ベルトの方向を変える部材を設けた構成とした。
【００１３】
請求項７のインクジェット記録装置は、搬送ベルトで搬送される用紙に記録ヘッドからインク滴を吐出して画像を形成記録するインクジェット記録装置において、前記請求項１ないし６のいずれかに記載の用紙搬送装置を備えた構成とした。
【００１５】
【発明の実施の形態】
以下、本発明の実施の形態を添付図面を参照して説明する。図１は本発明を適用したインクジェット記録装置における搬送装置の第１実施例を示す概略構成図、図２は同搬送装置の搬送ベルトの模式的拡大断面図、図３は同搬送装置の作用説明に供する説明図である。
【００１６】
この搬送装置１は、画像形成用の用紙２を搬送するための搬送ベルト３を有し、この搬送ベルト３で用紙２を搬送しながらインクジェットヘッドからなる記録ヘッド４から記録画像に応じてインク滴を吐出することで、用紙２上に所要の画像を記録する。
【００１７】
ここで、搬送ベルト３は、図示しない駆動源によって回転駆動される複数のローラ部材である駆動ローラ５と従動ローラ６との間に張装して回動可能に支持し、駆動ローラ５を回転駆動することで搬送ベルト３は矢示方向に回動する。この搬送ベルト３は、図２に示すように用紙２を載置する搬送面３ａ側に開口する多数の空孔７，７……を有する弾性部材で形成している。この搬送ベルト３は例えば多孔質体で形成することができる。
【００１８】
このように構成した用紙搬送装置１においては、用紙２が搬送ベルト３に接触し始める際に搬送ベルト３の空孔７内の空気が接触する用紙２を境にして外気と遮断される。それと共に、駆動ローラ５と従動ローラ６との間に張装した搬送ベルト３を駆動ローラ５の回転で回動させるとき、図３に示すように駆動ローラ５の周面の入口付近と出口付近での速度差によって搬送ベルト３が縮んだ状態になって空孔７が押し潰されるように縮むために、空孔７内の空気が用紙２と接触を開始する以前に外部へ排出されて空孔７が小さくなっている状態にある。
【００１９】
そのため、このような状態にある搬送ベルト３の搬送面３ａに用紙２が接触することによって、縮小した空孔７の開口が用紙２で塞がれた状態になり、駆動ローラ５の周面から離れて搬送ベルト３自身の弾性によって空孔７が元の大きさに復元しようとするとき、空孔７内部の圧力と外部の圧力との間に圧力差が発生して、用紙２が搬送ベルト３の搬送面３ａに吸着され、搬送ベルト３の回動によって用紙２が搬送される。
【００２０】
このとき、記録ヘッド１からのインク滴が着弾した用紙２は紙であれば繊維が伸びようとするが、搬送ベルト３に対する用紙２の位置に変化が生じることがなく、正確な精度で用紙２を搬送することができて、高画質の画像を記録することができる。
【００２１】
このように用紙を載置する搬送面側が開口する多数の空孔を有する弾性部材からなる搬送ベルトを備え、この搬送ベルトの空孔を縮ませた状態で用紙を搬送面に接触させて空孔の開口を塞ぐことで搬送ベルトに用紙を吸着させて搬送することによって、簡単な構成で、用紙を正確に搬送することができる。
【００２２】
この場合、搬送ベルトを複数のローラ部材で支持して回動させることによって、搬送ベルトがローラ部材の周面に接触することで空孔を縮めることができて、より簡単な構成とすることができる。
【００２３】
次に、図４は本発明に係る用紙搬送装置の第２実施例を示す要部斜視図である。この実施例において、搬送ベルト１０は、中央部部分に配置した上記第１実施例と同様な搬送面側が開口した多数の空孔を有する弾性部材からなる中央搬送部１１と、この中央搬送部１１の両側に配置した搬送面が平坦な両側搬送部１２，１３とからなる。
【００２４】
この用紙搬送装置においては、搬送ベルト１０の中央搬送部１１で上記第１実施例と同様にして用紙を吸着して記録ヘッドによる印写部に搬送する。ここで、記録ヘッドからのインク滴が着弾することで用紙が伸びたときには、その用紙の伸びが両側搬送部１２，１３に逃げるので画質を低下させることなく用紙を正確に搬送することができる。この場合、空孔を有する中央搬送部１１は伸びやすい性質を持つが、両側搬送部１２，１３に伸びの少ないゴムベルトなどを用いることで全体として搬送ベルトとしての適切な張力を与えることができる。
【００２５】
なお、ここで空孔を有する弾性部材からなる搬送部分は、図４に示すように中央部に設ける場合に限らず、格子状に配置したり、チェッカー状に配置したりすることができる。
【００２６】
このように、搬送ベルトは搬送面側が開口する多数の空孔を有する弾性部材を一部に用いている構成とすることによって、用紙の伸びを吸収しながら用紙を搬送することができ、より正確な搬送を行うことができる。
【００２７】
次に、図５は本発明に係る用紙搬送装置の第３実施例を示す要部説明図である。この実施例においては、上記第１実施例における駆動ローラ５及び（又は）従動ローラ６に対し、それぞれ図示しない機構によって矢示方向（離間方向）の力を与えることによって、搬送ベルト３に対して強い張力（テンション）を付与している。
【００２８】
したがって、搬送ベルト３は駆動ローラ５及び従動ローラ６の周面では薄く押し潰されて厚みｔ２になり、その他の部分では厚みｔ１（ｔ１＞ｔ２）となる。これにより、搬送ベルト３が駆動ローラ５の周面から離れるときに大きな復元量が得られるので、搬送ベルト３が元の厚みに戻り始める箇所から用紙２を接触させることで大きな吸着力Ｆ１が得られ、従動ローラ６の周面に接触を始める箇所では厚みが薄くなるために所要の離反力Ｆ２が得られて、用紙２が搬送ベルト３の搬送面から離反できる。
【００２９】
このように、搬送ベルトを支持するローラ部材を介してベルトに張力を与えることによって、大きな吸着力を得られて、より正確な搬送を行うことができる。
【００３０】
次に、図６は本発明に係る用紙搬送装置の第４実施例を示す要部説明図である。この実施例においては、上記第１実施例における駆動ローラ５と搬送ベルト３を挟んで対向する駆動ローラ５よりも小径の圧縮用ローラ部材である小径ローラ１４を、搬送ベルト３を押し潰せる（圧縮できる）位置に配置し、この小径ローラ１４と搬送ベルト３との接触部から用紙２を咬み込ませる、つまり用紙２の搬送面３ａへの接触を開始するようにしている。
【００３１】
したがって、小径ローラ１４によって用紙２が搬送ベルト３に押し付けられると共に、小径ローラ１４によって搬送ベルト３が圧縮されることで空孔７内の空気が外部に押し出される。そして、搬送ベルト３が小径ローラ１４から離れることで、搬送ベルト３の空孔７が元に戻ろうとして空孔７内に負圧が生じて、外気との圧力差によって搬送ベルト３の搬送面に用紙２が吸着される。
【００３２】
このように、搬送ベルトを複数のローラ部材で支持して回動させると共に、搬送ベルトを支持するローラ部材と搬送ベルトを挟んで対向し、搬送ベルトを圧縮する圧縮用ローラ部材を備え、搬送ベルトの圧縮ローラとの接触部分付近から用紙の搬送面への接触を開始させることで、搬送ベルトの空孔をより縮めることができて大きな吸着力が得られ、より正確な搬送を行うことができる。
【００３３】
次に、図７は本発明に係る用紙搬送装置の第５実施例を示す要部説明図である。この実施例においては、上記第１実施例における駆動ローラ５の近傍に、駆動ローラ５よりも小径のローラ部材である小径ローラ１５を備え、この小径ローラ１５は搬送ベルト３が駆動ローラ５を経て接触する位置に配置して搬送ベルト３の方向を変えられるようにし、搬送ベルト３が小径ローラ１５と接触して方向が変わる部分、即ち搬送ベルト３が小径ローラ１５で最も潰される位置から用紙２が搬送面３ａに接触を開始するようにしている。
【００３４】
このように、搬送ベルト３を張装する小径ローラ１５を配置して、この小径ローラ１５の部分から用紙２の搬送面３ａへの接触を開始させるので、搬送ベルト３は小径ローラ１５の部分で大きく潰されることになり、空孔７の縮み量が大きくなって搬送ベルト３が元の厚みに戻り始めときに用紙２を接触させることで大きな吸着力が得られる。
【００３５】
このように、搬送ベルトを複数のローラ部材で支持して回動させると共に、ローラ部材より小径で搬送ベルトの方向を変える小径ローラ部材をベルト支持用のローラ部材の近傍に配設し、搬送ベルトの小径ローラ部材で方向を変えられる部分から用紙の搬送面への接触を開始させることで、搬送ベルトの吸着力を大きくすることができて、より正確な搬送を行うことができる。
【００３６】
次に、図８は本発明に係る用紙搬送装置の第６実施例を示す要部説明図である。この実施例においては、搬送ベルト３から用紙２を離反させる位置で搬送ベルト３の内側に用紙分離部材１６を設け、搬送ベルト３の反転（方向転換）半径を小さくしている。また、用紙分離部材１６に対応して補助分離爪１７を配置している。
【００３７】
このように構成したので、用紙２が用紙分離部材１６に対応する部分に差し掛かると、搬送ベルト３はこの用紙分離部材１６によって押し潰されながら急な角度で方向が変えられ、搬送ベルト３が押し潰される。搬送ベルト３が押し潰されたときに空孔７が潰されて空孔７内の圧力と外部圧力との差がなくなり、用紙２を搬送ベルト３に吸着させる力がなくなる。また、急な反転角度が与えられることで、搬送ベルト３表面にある空孔７の開口から外部の空気が流入しやすくなって、空孔内部の圧力が外部圧力と均衡するまでの時間が短くなる。加えて、用紙の紙のコシによる分離のきっかけを得やすくなり、更に分離性が向上する。これによって、用紙２は搬送ベルト３から分離されて排出される。
【００３８】
なお、上記実施例においては、本発明をインクジェット記録装置の用紙搬送装置に適用した例で説明したが、その他のサーマル記録装置などにも同様に適用することができる。
【００３９】
【発明の効果】
以上説明したように、請求項１の用紙搬送装置によれば、搬送ベルトは用紙を載置する搬送面側が開口する多数の空孔を有する弾性部材からなり、搬送ベルトを複数のローラ部材で支持して回動させ、搬送ベルトがローラ部材の周面に接触することで搬送ベルトの空孔が縮められ、この搬送ベルトの空孔を縮ませた状態で用紙を搬送面に接触させて空孔の開口を塞ぐことで用紙を搬送面に吸着させて搬送する構成としたので、用紙を正確に搬送することができる。また、インクジェット記録装置に用いた場合には、インク滴の着弾で紙が伸びる影響を最小限に抑えることができて高画質画像を得ることができる。
【００４０】
請求項２の用紙搬送装置によれば、請求項１の用紙搬送装置において搬送ベルトにテンションを付与する手段を備えている構成としたので、搬送ベルトの縮み量を大きくすることができて、吸着力が高くなり、より正確な用紙の搬送を行うことができる。
【００４１】
請求項３の用紙搬送装置によれば、画像が記録される用紙を搬送ベルトで搬送する用紙搬送装置において、搬送ベルトは用紙を載置する搬送面側が開口する多数の空孔を有する弾性部材からなり、搬送ベルトを複数のローラ部材で支持して回動させると共に、搬送ベルトを支持するローラ部材と搬送ベルトを挟んで対向し、搬送ベルトを圧縮する圧縮用ローラ部材を備え、搬送ベルトの圧縮ローラとの接触部分付近から用紙の搬送面への接触を開始させる構成としたので、搬送ベルトの空孔を完全に縮ませることが可能になり、搬送ベルトの復元による大きな吸着力を得ることができて、より正確な用紙の搬送を行うことができる。
【００４２】
請求項４の用紙搬送装置によれば、搬送ベルトは用紙を載置する搬送面側が開口する多数の空孔を有する弾性部材からなり、搬送ベルトを複数のローラ部材で支持して回動させると共に、ローラ部材より小径で搬送ベルトの方向を変える小径ローラ部材をローラ部材の近傍に配設し、搬送ベルトの小径ローラ部材で方向を変えられる部分から用紙の搬送面への接触を開始させる構成としたので、搬送ベルトの空孔を完全に縮ませることが可能になり、搬送ベルトの復元による大きな吸着力を得ることができて、より正確な用紙の搬送を行うことができると共に、小径ローラ部材が用紙に接触しないので用紙のシワの発生を防止することができる。
【００４３】
請求項５の用紙搬送装置によれば、請求項１ないし４のいずれかの用紙搬送装置において、搬送ベルトは搬送面側が開口する多数の空孔を有する弾性部材を一部に用いている構成としたので、用紙の伸びを吸収しながら正確に搬送することができて、より画質の向上を図ることができると共に、搬送ベルトの伸びを少なくすることが可能になって、搬送ベルトの適正なテンションを維持することができる。
【００４４】
請求項６の用紙搬送装置によれば、請求項１ないし５のいずれかの用紙搬送装置において、搬送ベルトから用紙を剥離する位置で搬送ベルトの内側に接触して搬送ベルトの方向を変える部材を設けた構成としたので、搬送ベルトの吸着力が減った状態で用紙の分離を行うことができて、効率が向上すると共に、搬送ベルトの曲率半径を小さくすることができるので、更に効率的に用紙をはくりすることができる。
【００４５】
請求項７のインクジェット記録装置によれば、搬送ベルトで搬送される用紙に記録ヘッドからインク滴を吐出して画像を形成記録するインクジェット記録装置において、請求項１ないし６のいずれかに記載の用紙搬送装置を備えた構成としたので、インクジェット記録装置における用紙搬送を正確に行うことができて、画像品質が向上する。
【図面の簡単な説明】
【図１】本発明を適用したインクジェット記録装置における搬送装置の第１実施例を示す概略構成図
【図２】同搬送装置の搬送ベルトの模式的拡大断面図
【図３】同搬送装置の作用説明に供する説明図
【図４】本発明に係る用紙搬送装置の第２実施例を示す要部斜視図記録ヘッドの要部拡大断面図
【図５】本発明に係る用紙搬送装置の第３実施例を示す要部説明図
【図６】本発明に係る用紙搬送装置の第４実施例を示す要部説明図
【図７】本発明に係る用紙搬送装置の第５実施例を示す要部説明図
【図８】本発明に係る用紙搬送装置の第６実施例を示す要部説明図
【符号の説明】
１…用紙搬送装置、２…用紙、３…搬送ベルト、３ａ…搬送面、４…記録ヘッド、５…駆動ローラ、６…従動ローラ、７…空孔、１０…搬送ベルト、１１…中央搬送部、１２，１３…両側搬送部、１４…小径ローラ、１５…小径ローラ、１６…用紙分離部材。
【図１】
0003613427.tif 000002
【図２】
0003613427.tif 000003
【図３】
0003613427.tif 000004
【図４】
0003613427.tif 000005
【図５】
0003613427.tif 000006
【図６】
0003613427.tif 000007
【図７】
0003613427.tif 000008
【図８】
0003613427.tif 000009